(57)【要約】【課題】  演奏が行われている場の雰囲気を好適に盛り上げ得る電子早見本装置を提供する。【解決手段】  カラオケ装置１６により出力される演奏曲の情報を取得する演奏曲情報取得手段１０６と、その演奏曲情報取得手段１０６により取得された情報に応じてタッチパネルディスプレイ７０における映像の表示を制御する映像表示制御手段１０８とを、含むことから、前記カラオケ装置１６により出力される演奏曲の雰囲気に合った映像を前記タッチパネルディスプレイ７０に表示させることで、そのタッチパネルディスプレイ７０により選曲等を行う利用者にその演奏曲と共通する印象を与えることができる。【選択図】  図５
2006300998.tif 000002
【特許請求の範囲】
【請求項１】
多数の演奏曲のうちから選択される所定の演奏曲を出力させるカラオケ装置を遠隔操作するために、所定の映像を表示させると共に利用者の接触に応じて前記カラオケ装置への入力を行うタッチパネルディスプレイを備えた電子早見本装置であって、
前記カラオケ装置により出力される演奏曲の情報を取得する演奏曲情報取得手段と、
該演奏曲情報取得手段により取得された情報に応じて前記タッチパネルディスプレイにおける映像の表示を制御する映像表示制御手段と
を、含むことを特徴とする電子早見本装置。
【請求項２】
前記演奏曲情報取得手段は、前記カラオケ装置により出力される演奏曲の属性情報を取得するものであり、前記映像表示制御手段は、該演奏曲情報取得手段により取得された属性情報に応じて前記タッチパネルディスプレイにおける映像の表示を制御するものである請求項１の電子早見本装置。
【請求項３】
前記演奏曲情報取得手段は、前記カラオケ装置により出力される演奏曲の属性情報としてジャンル情報を取得するものであり、前記映像表示制御手段は、該演奏曲情報取得手段により取得されたジャンル情報に応じて前記タッチパネルディスプレイにおける映像の表示を制御するものである請求項２の電子早見本装置。
【請求項４】
前記映像表示制御手段は、前記演奏曲情報取得手段により取得された情報に応じて前記タッチパネルディスプレイにおける背景映像の表示を制御するものである請求項１から３の何れかの電子早見本装置。
【請求項５】
前記映像表示制御手段は、前記演奏曲情報取得手段により取得された情報に応じて前記タッチパネルディスプレイにおけるメニューフレーム映像の表示を制御するものである請求項１から４の何れかの電子早見本装置。
【請求項６】
前記映像表示制御手段は、前記演奏曲情報取得手段により取得された情報に応じて前記タッチパネルディスプレイに前記演奏曲に付随する情報を表示させるものである請求項１から５の何れかの電子早見本装置。
【請求項７】
前記映像表示制御手段は、前記演奏曲情報取得手段により取得された情報に応じて前記タッチパネルディスプレイに前記演奏曲に関連する複数の演奏曲を選曲可能に表示させるものである請求項１から６の何れかの電子早見本装置。
【発明の詳細な説明】
【技術分野】
【０００１】
本発明は、多数の演奏曲のうちから選択される所定の演奏曲を出力させるカラオケ装置を遠隔操作するための電子早見本装置に関し、特に、その映像表示制御の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の映像を表示させると共に利用者の接触に応じてそのカラオケ装置への入力を行うタッチパネルディスプレイを備えた電子早見本装置が知られている。例えば、特許文献１に記載された電子目次本機能付きカラオケリモコン装置がそれである。この技術によれば、上記タッチパネルディスプレイに表示される映像を参照しつつ、利用者の指や備え付けのペン等によりそのタッチパネルディスプレイに接触（タッチ入力）することにより簡便に上記カラオケ装置への入力を行うことができる。
【０００４】
【特許文献１】特開２００３−２０２８７２号公報
【０００５】
ところで、前記カラオケ装置を用いたカラオケ演奏では、一般に場の雰囲気が重要とされる。すなわち、前記カラオケ装置から出力される演奏曲を介してその場にいる利用者が一体感を感じ、歌い手も聞き手も諸共に楽しむことが理想とされる。しかし、前記従来の電子早見本装置では、そのような場の雰囲気作りにほとんど貢献できなかった。このため、演奏が行われている場の雰囲気を好適に盛り上げ得る電子早見本装置の開発が求められていた。
【発明の開示】
【発明が解決しようとする課題】
【０００６】
本発明は、以上の事情を背景として為されたものであり、その目的とするところは、演奏が行われている場の雰囲気を好適に盛り上げ得る電子早見本装置を提供することにある。
【課題を解決するための手段】
【０００７】
斯かる目的を達成するために、本発明の要旨とするところは、多数の演奏曲のうちから選択される所定の演奏曲を出力させるカラオケ装置を遠隔操作するために、所定の映像を表示させると共に利用者の接触に応じて前記カラオケ装置への入力を行うタッチパネルディスプレイを備えた電子早見本装置であって、前記カラオケ装置により出力される演奏曲の情報を取得する演奏曲情報取得手段と、その演奏曲情報取得手段により取得された情報に応じて前記タッチパネルディスプレイにおける映像の表示を制御する映像表示制御手段とを、含むことを特徴とするものである。
【発明の効果】
【０００８】
このように、本発明によれば、前記カラオケ装置により出力される演奏曲の情報を取得する演奏曲情報取得手段と、その演奏曲情報取得手段により取得された情報に応じて前記タッチパネルディスプレイにおける映像の表示を制御する映像表示制御手段とを、含むことから、前記カラオケ装置により出力される演奏曲の雰囲気に合った映像を前記タッチパネルディスプレイに表示させることで、そのタッチパネルディスプレイにより選曲等を行う利用者にその演奏曲と共通する印象を与えることができる。すなわち、演奏が行われている場の雰囲気を好適に盛り上げ得る電子早見本装置を提供することができる。
【０００９】
ここで、好適には、前記演奏曲情報取得手段は、前記カラオケ装置により出力される演奏曲の属性情報を取得するものであり、前記映像表示制御手段は、その演奏曲情報取得手段により取得された属性情報に応じて前記タッチパネルディスプレイにおける映像の表示を制御するものである。このようにすれば、実用的な態様で前記カラオケ装置により出力される演奏曲の雰囲気に合った映像を前記タッチパネルディスプレイに表示させることができるという利点がある。
【００１０】
また、好適には、前記演奏曲情報取得手段は、前記カラオケ装置により出力される演奏曲の属性情報としてジャンル情報を取得するものであり、前記映像表示制御手段は、その演奏曲情報取得手段により取得されたジャンル情報に応じて前記タッチパネルディスプレイにおける映像の表示を制御するものである。このようにすれば、演奏曲の雰囲気と関係の深いジャンル情報に応じて前記カラオケ装置により出力される演奏曲の雰囲気に合った映像を前記タッチパネルディスプレイに表示させることができるという利点がある。
【００１１】
また、好適には、前記映像表示制御手段は、前記演奏曲情報取得手段により取得された情報に応じて前記タッチパネルディスプレイにおける背景映像の表示を制御するものである。このようにすれば、前記カラオケ装置により出力される演奏曲の雰囲気に合った背景映像を前記タッチパネルディスプレイに表示させることができるという利点がある。
【００１２】
また、好適には、前記映像表示制御手段は、前記演奏曲情報取得手段により取得された情報に応じて前記タッチパネルディスプレイにおけるメニューフレーム映像の表示を制御するものである。このようにすれば、前記カラオケ装置により出力される演奏曲の雰囲気に合ったメニューフレーム映像を前記タッチパネルディスプレイに表示させることができるという利点がある。
【００１３】
また、好適には、前記映像表示制御手段は、前記演奏曲情報取得手段により取得された情報に応じて前記タッチパネルディスプレイに前記演奏曲に付随する情報を表示させるものである。このようにすれば、そのタッチパネルディスプレイにより選曲等を行う利用者に前記カラオケ装置により出力される演奏曲を意識させることができ、場の雰囲気作りに貢献できるという利点がある。
【００１４】
また、好適には、前記映像表示制御手段は、前記演奏曲情報取得手段により取得された情報に応じて前記タッチパネルディスプレイに前記演奏曲に関連する複数の演奏曲を選曲可能に表示させるものである。このようにすれば、そのタッチパネルディスプレイにより選曲等を行う利用者に前記カラオケ装置により出力される演奏曲に関連する複数の演奏曲を意識させられることに加え、それらの演奏曲を優先的に選曲させることで、継続的に考えた場合の場の雰囲気作りに貢献できるという利点がある。
【００１５】
以下、本発明の好適な実施例を図面に基づいて詳細に説明する。
【実施例】
【００１６】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のセンタ装置２０に接続されており、そのセンタ装置２０と上記カラオケ装置１６ａの相互間で情報の通信が可能とされている。このセンタ装置２０は、カラオケ情報、背景映像情報、曲間情報等のデジタルコンテンツ（Digital Contents）の保管や入出力管理の基本的な制御を行うサーバであり、上記通信回線１８を介してマスターコマンダであるカラオケ装置１６ａに定期的にコンテンツの配信を行うと共に、そのカラオケ装置１６ａからの要求に応じて所定の機能制御プログラムを送信するものである。また、上記カラオケシステム１０は、本発明の一実施例である複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１７】
図２は、上記カラオケ装置１６の構成を例示するブロック線図である。この図２に示すように、上記カラオケ装置１６は、ＣＲＴ等の映像表示装置３０と、映像情報デコーダ３２と、ビデオミキサ３４と、アンプミキサ３６と、スピーカ３８と、マイクロフォン４０と、操作パネル４２と、中央演算処理装置であるＣＰＵ４４と、ＲＯＭ４６と、ＲＡＭ４８と、記憶装置であるハードディスク５０と、モデム５２と、ＬＡＮポート５４と、ＣＲＴコントローラ５６と、上記操作パネル４２等からの入力信号を処理する入出力インターフェイス５８と、音源であるシンセサイザ６０と、上記電子早見本装置２２やリモコン装置６６等の入力装置からのリモコン信号を受信するためのリモコン受信部６２とを、備えて構成されている。
【００１８】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記リモコン装置６６や電子早見本装置２２等により所定のカラオケ演奏曲が選曲された場合、その選曲されたカラオケ演奏曲を上記ＲＡＭ４８に設けられた予約曲リストに登録したり、その予約曲リストの演奏順に従って上記ハードディスク５０から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記ＣＲＴコントローラ５６へ送ったり、選曲時には曲名文字映像を生成して上記ＣＲＴコントローラ５６へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１８を介した前記センタ装置２０との間の情報通信制御等の基本的な制御を実行する。
【００１９】
前記操作パネル４２は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４２の一部機能を遠隔で実行するための入力装置として機能するリモコン装置６６が備えられており、前記リモコン受信部６２は、そのリモコン装置６６から送信されるリモコン信号を受信して前記ＣＰＵ４４へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００２０】
前記映像情報デコーダ３２は、利用者が歌詞を参照しながら歌を歌う際に前記ハードディスク５０に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３２により再生された背景映像は、前記ビデオミキサへ送られる。また、前記ＣＲＴコントローラ５６は、前記ＣＰＵ４４において生成された歌詞文字映像等の文字映像（テロップ）を出力する文字映像出力装置であり、前記ビデオミキサ３４は、前記ＣＰＵ４４において生成され且つ前記ＣＲＴコントローラ５６から出力される文字映像と、前記映像情報デコーダ３２により再生される背景映像とを合成して前記映像表示装置３０に表示させる映像合成装置である。
【００２１】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。そのアンプミキサ３６では、送られてきた音楽信号と前記マイクロフォン４０を介して入力される利用者の歌声とがミキシングされ、それらの信号が電気的に増幅されて前記スピーカ３８から出力される。
【００２２】
前記モデム５２は、前記カラオケ装置１６を公衆電話回線等による通信回線１８に接続するための装置であり、前記ＣＰＵ４４から出力されるディジタル信号をアナログ信号に変換して前記通信回線１８に送り出すと共に、その通信回線１８を介して伝送されるアナログ信号をディジタル信号に変換して前記ＣＰＵ４４に供給する処理を行う。なお、このモデム５２は、マスターコマンダとして機能するカラオケ装置１６ａには必要とされるが、前記センタ装置２０との間で情報の通信を行わない他のカラオケ装置１６には必ずしも設けられなくともよい。
【００２３】
前記ＬＡＮポート５４は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の情報を送信したりというように、電波を介して前記カラオケ装置１６と電子早見本装置２２との間における相互の情報のやりとりが実行される。
【００２４】
前記ハードディスク５０には、カラオケ演奏曲を出力させるための多数のカラオケ情報を記憶するカラオケデータベース、背景映像を出力させるための複数の背景映像情報を記憶する背景映像データベース、曲間情報を出力させるための複数の曲間情報を記憶する曲間情報データベース等の各種データベースが設けられている。カラオケボックス等の店舗にそれぞれ備えられた複数のカラオケ装置１６のうちマスターコマンダとして機能するカラオケ装置１６ａは、前記モデム５２を介して前記通信回線１８に接続されており、前記複数のカラオケ装置１６によって常に新しい曲が演奏可能とされるように、或いは所定の背景映像や曲間情報が出力可能とされるように、随時新たなカラオケ情報、背景映像情報、曲間情報等が前記センタ装置２０から前記通信回線１８を介して配信され、前記ハードディスク５０のカラオケデータベース、背景映像データベース、曲間情報データベース等に記憶される。また、そのようにして前記センタ装置２０から情報を取得したカラオケ装置１６ａとその他のカラオケ装置１６との間で前記ＬＡＮ２４を介した通信が行われることにより、各カラオケ装置１６のハードディスク５０に記憶される情報が共有され、カラオケデータベース、背景映像データベース、曲間情報データベース等の内容が等価なものとされる。
【００２５】
図３は、前記電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ７０を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル６８を備えている。前記電子早見本装置２２は、そのクレイドル６８に取り付けられた状態又はそのクレイドル６８から取り外された状態で用いられ、取り付けられた状態においては、そのクレイドル６８及びＬＡＮ２４を介して前記カラオケ装置１６に有線接続されるようになっている。また、上記クレイドル６８から取り外された状態においては、上記アクセスポイント２６及びＬＡＮ２４を介して前記カラオケ装置１６に無線接続されるようになっている。
【００２６】
図４は、前記電子早見本装置２２の構成を説明するブロック線図である。この図４に示すように、前記電子早見本装置２２は、上記タッチパネルディスプレイ７０に所定の映像を表示させる表示装置７２と、その表示装置７２による表示を制御する表示制御部７４と、利用者の指や図示しない備え付けのペン等によるタッチパネルディスプレイ７０への接触により入力を行うタッチパネル７６と、そのタッチパネル７６による入力を制御する入力制御部７８と、中央演算処理装置であるＣＰＵ８０と、ＲＯＭ８２と、ＲＡＭ８４と、フラッシュＲＯＭ等の記憶部８６と、インターフェイス８８と、リモコン送信部９０と、無線ＬＡＮ通信部９２と、コネクタ９４とを、備えて構成されている。上記クレイドル６８には、前記電子早見本装置２２と電気的な接続を可能とするためのコネクタ９６が設けられており、前記電子早見本装置２２は、前記クレイドル６８に載置されて上記コネクタ９４及び９６が接触させられることで、上記インターフェイス８８を介して前記クレイドル６８乃至はＬＡＮ２４に接続されるようになっている。
【００２７】
上記記憶部８６には、演奏曲データベース１００、背景画データベース１０２、及びフレームデータベース１０４等の各種データベースが設けられている。この演奏曲データベース１００は、前記カラオケ装置１６のカラオケデータベースに記憶された多数のカラオケ情報それぞれに対応して曲名、アーティスト名、属性情報、歌詞の歌い出し部分等の選曲案内情報、及び備考等を選曲番号毎に記憶するものである。この属性情報とは、例えば、各演奏曲の属するジャンル、各演奏曲毎に予め定められた歌手名、各演奏曲の発表年代、或いは各演奏曲のテンポに関する情報等である。
【００２８】
上記背景画データベース１０２は、前記表示装置７２等を介して前記タッチパネルディスプレイ７０の画面に所定の背景画（壁紙）を表示させるための複数の背景画情報を記憶する。この背景画情報としてはＪＰＥＧ（Joint Photographic Experts Group）形式、ＰＮＧ（Portable Network Graphics）形式、ＧＩＦ（Graphics Interchange Format）形式等による静止画が好適に用いられるが、ＭＰＥＧ（Moving Picture Experts Group）形式、ＧＩＦ形式等による経時的に変化する動画が用いられても構わない。また、上記背景画データベース１０２に記憶された複数の背景画情報は、それぞれ少なくとも１つの前記属性情報に関連付けられている。
【００２９】
前記フレームデータベース１０４は、前記表示装置７２等を介して前記タッチパネルディスプレイ７０の画面に所定のメニューフレーム映像を表示させるための複数のメニューフレーム情報を記憶する。このメニューフレーム情報としてはＪＰＥＧ形式、ＰＮＧ形式、ＧＩＦ形式等による静止画が好適に用いられる。また、前記フレームデータベース１０４に記憶された複数のフレーム情報は、それぞれ少なくとも１つの前記属性情報に関連付けられている。
【００３０】
上記ＣＰＵ８０は、上記ＲＡＭ８４の一時記憶機能を利用しつつ上記ＲＯＭ８２に予め記憶された所定のプログラムに基づいて電子情報を処理・制御する所謂コンピュータであり、上記記憶部８６から選曲案内情報を読み出し、上記表示装置７２を介してその選曲案内情報に基づく所定の案内映像を上記タッチパネルディスプレイ７０に表示させたり、そのタッチパネルディスプレイ７０に表示された案内映像に従って上記タッチパネル７６による入力が行われた場合、カラオケ演奏曲を予約するための選曲信号（選曲予約信号）を上記無線ＬＡＮ通信部９２等を介して前記カラオケ装置１６に送信する等の基本的な制御に加えて、前記カラオケ装置１６により出力される演奏曲に応じて後述する映像表示制御を実行する。
【００３１】
図５は、前記電子早見本装置２２のＣＰＵ８０に備えられた制御機能の要部を説明する機能ブロック線図である。この図５に示す演奏曲情報取得手段１０６は、前記カラオケ装置１６により出力される演奏曲の情報を取得する。具体的には、前記カラオケ装置１６にて演奏されている（或いは演奏が開始される）演奏曲の選曲番号或いはその演奏曲の属性情報を前記アクセスポイント２６及びＬＡＮ２４等を介して読み出す。好適には、前記演奏曲の属性情報としてジャンル情報を読み出す。また、前記カラオケ装置１６により出力される演奏曲の選曲番号を読み出す態様では、前記記憶部８６に設けられた演奏曲データベース１００を参照することでその選曲番号に対応する演奏曲の情報（例えば、属性情報）を取得する。なお、この演奏曲情報取得手段１０６による情報の取得は、前記電子早見本装置２２を制御主体として前記カラオケ装置１６のＲＡＭ４８等に記憶された情報をダウンロードするものであってもよいし、前記カラオケ装置１６に配信要求を送ること等によりそのカラオケ装置１６を制御主体として前記電子早見本装置２２に向けて配信させるものであってもよい。また、予め定められたプログラムに従って前記カラオケ装置１６により新たな演奏曲の演奏が開始される毎にそのカラオケ装置１６からその演奏曲の情報を送信させるようにし、前記電子早見本装置２２がその情報を受信するといった態様も考えられる。
【００３２】
映像表示制御手段１０８は、上記演奏曲情報取得手段１０６により取得された情報に応じて前記タッチパネルディスプレイ７０における映像の表示を制御する。好適には、上記演奏曲情報取得手段１０６により取得された属性情報に応じて前記タッチパネルディスプレイ７０における背景映像の表示を制御する。前記記憶部８６に設けられた背景画データベース１０２に記憶された複数の背景画情報は、それぞれ少なくとも１つの前記属性情報に関連付けられており、上記映像表示制御手段１０８は、前記背景画データベース１０２に記憶された複数の背景画情報のうちから上記演奏曲情報取得手段１０６により取得された属性情報に関連付けられた所定の背景画情報を読み出し、前記表示制御部７４等を介してその背景画情報に対応する背景画を前記表示装置７２の画面における背面側レイヤ（多くは最背面レイヤ）に表示させる。図６は、前記タッチパネルディスプレイ７０に表示される初期設定（デフォルト）のトップ画面を例示する図である。例えば、上記演奏曲情報取得手段１０６により属性情報「ナイト向け曲」が取得された場合、上記映像表示制御手段１０８は、前記背景画データベース１０２に記憶された複数の背景画情報のうちから属性情報「ナイト向け曲」に関連付けられた所定の背景画情報を読み出し、例えば、図７に示すように「ナイト向け曲」を意識させる夜景等の画像を背景画としたトップ画面を前記タッチパネルディスプレイ７０に表示させる。
【００３３】
また、上記映像表示制御手段１０８は、好適には、前記演奏曲情報取得手段１０６により取得された情報に応じて前記タッチパネルディスプレイ７０におけるメニューフレーム映像の表示を制御する。前記記憶部８６に設けられたフレームデータベース１０４に記憶された複数のメニューフレーム情報は、それぞれ少なくとも１つの前記属性情報に関連付けられており、上記映像表示制御手段１０８は、前記フレームデータベース１０４に記憶された複数のメニューフレーム情報のうちから上記演奏曲情報取得手段１０６により取得された属性情報に関連付けられた所定のメニューフレーム情報を読み出し、前記表示制御部７４等を介してそのメニューフレーム情報に対応するメニューフレーム映像を前記表示装置７２の画面における前面側レイヤ（少なくとも背景画よりも前面側のレイヤ）に表示させる。図８は、前記タッチパネルディスプレイ７０に表示される初期設定（デフォルト）のかな検索選曲メニュー画面を例示する図である。例えば、前記演奏曲情報取得手段１０６によりジャンル情報「Ｊ‐ＰＯＰ（ライト）」が取得された場合、上記映像表示制御手段１０８は、前記フレームデータベース１０４に記憶された複数のメニューフレーム情報のうちからジャンル情報「Ｊ‐ＰＯＰ（ライト）」に関連付けられた所定のメニューフレーム情報を読み出し、例えば、図９に示すように「Ｊ‐ＰＯＰ（ライト）」を意識させる丸みを帯びたメニューフレーム映像を含むかな検索選曲メニュー画面を前記タッチパネルディスプレイ７０に表示させる。
【００３４】
また、前記映像表示制御手段１０８は、好適には、前記演奏曲情報取得手段１０６により取得された情報に応じて前記タッチパネルディスプレイ７０に前記演奏曲に付随する情報を表示させる。図１０は、前記演奏曲に付随する情報を含むかな検索選曲メニュー画面を例示する図である。例えば、前記演奏曲情報取得手段１０６により所定の選曲番号が取得された場合、前記映像表示制御手段１０８は、前記演奏曲データベース１００に記憶された演奏曲情報を参照してその選曲番号に対応する曲名、歌手名、発表年代、及び備考等の情報を読み出し、例えば、図１０に示すようにそれらの情報を文字映像（テロップ）として前記タッチパネルディスプレイ７０の画面の一部にバナー表示させる。
【００３５】
また、前記映像表示制御手段１０８は、好適には、前記演奏曲情報取得手段１０６により取得された情報に応じて前記タッチパネルディスプレイ７０に前記演奏曲に関連する複数の演奏曲を選曲可能に表示させる。図１１は、前記演奏曲に関連するお薦め演奏曲の選曲ボタンを含む選曲メニュー画面を例示する図である。例えば、前記演奏曲情報取得手段１０６により所定の属性情報が取得された場合、上記映像表示制御手段１０８は、前記演奏曲データベース１００に記憶された演奏曲情報を参照してその属性情報を有する演奏曲のうち過去における選曲回数の多いものを抽出し、例えば、図１１に示すようにそれらの演奏曲をお薦め曲リストとして前記タッチパネルディスプレイ７０に選曲可能に表示させる。また、図６に示すトップ画面等において所定のボタンを表示させ、そのボタンへの利用者のタッチ操作に応じて図１１に示すようなお薦め曲リストを表示させるものであってもよい。
【００３６】
図１２は、前記電子早見本装置２２のＣＰＵ８０による映像表示制御について説明するフローチャートであり、所定の周期で繰り返し実行されるものである。
【００３７】
先ず、前記演奏曲情報取得手段１０６の動作に対応するステップ（以下、ステップを省略する）Ｓ１において、前記カラオケ装置１６にて演奏されている演奏曲の選曲番号が前記アクセスポイント２６及びＬＡＮ２４等を介して読み出される。次に、Ｓ２において、前記演奏曲データベース１００からＳ１にて読み出された選曲番号に対応する曲名、歌手名、発表年代、ジャンル情報、及び備考等の情報が読み出されて前記タッチパネルディスプレイ７０の画面の一部にバナー表示させられる。次に、Ｓ３において、前記タッチパネルディスプレイ７０の画面における背景画を変更させるか否か、すなわちその時点において前記タッチパネルディスプレイ７０の画面に表示されている背景画がＳ２にて読み出されたジャンル情報と関連付けられたものではないか若しくは関連付けられたものかが判断される。このＳ３の判断が否定される場合、すなわちその時点において前記タッチパネルディスプレイ７０の画面に表示されている背景画がＳ２にて読み出されたジャンル情報と関連付けられたものであると判断される場合には、Ｓ５以下の処理が実行されるが、Ｓ３の判断が肯定される場合、すなわちその時点において前記タッチパネルディスプレイ７０の画面に表示されている背景画がＳ２にて読み出されたジャンル情報と関連付けられたものではないと判断される場合には、Ｓ４において、前記背景画データベース１０２に記憶された複数の背景画情報のうちからＳ２にて読み出されたジャンル情報に関連付けられた所定の背景画情報が読み出され、前記表示制御部７４等を介してその背景画情報に対応する背景画が前記タッチパネルディスプレイ７０の画面における背面側レイヤに表示された後、Ｓ５において、前記タッチパネルディスプレイ７０の画面におけるメニューフレーム映像を変更させるか否か、すなわちその時点において前記タッチパネルディスプレイ７０の画面に表示されているメニューフレーム映像がＳ２にて読み出されたジャンル情報と関連付けられたものではないか若しくは関連付けられたものかが判断される。このＳ５の判断が否定される場合、すなわちその時点において前記タッチパネルディスプレイ７０の画面に表示されているメニューフレーム映像がＳ２にて読み出されたジャンル情報と関連付けられたものであると判断される場合には、Ｓ７以下の処理が実行されるが、Ｓ５の判断が肯定される場合、すなわちその時点において前記タッチパネルディスプレイ７０の画面に表示されているメニューフレーム映像がＳ２にて読み出されたジャンル情報と関連付けられたものではないと判断される場合には、Ｓ６において、前記フレームデータベース１０４に記憶された複数のメニューフレーム情報のうちからＳ２にて読み出されたジャンル情報に関連付けられた所定のメニューフレーム情報が読み出され、前記表示制御部７４等を介してそのメニューフレーム情報に対応するメニューフレーム映像が前記タッチパネルディスプレイ７０の画面における前面側レイヤに表示された後、Ｓ７において、前記タッチパネル７６等を介してお薦め演奏曲リストを表示させるための入力操作が行われたか否かが判断される。このＳ７の判断が否定される場合には、それをもって本ルーチンが終了させられるが、Ｓ７の判断が肯定される場合には、Ｓ８において、前記演奏曲データベース１００に記憶された演奏曲情報が参照されてＳ２にて読み出されたジャンル情報を有する演奏曲のうち過去における選曲回数の多いものが抽出され、それらの演奏曲がお薦め曲リストとして前記タッチパネルディスプレイ７０に選曲可能に表示された後、本ルーチンが終了させられる。以上の制御において、Ｓ２、Ｓ４、Ｓ６、及びＳ８が前記映像表示制御手段１０８の動作に対応する。
【００３８】
このように、本実施例によれば、前記カラオケ装置１６により出力される演奏曲の情報を取得する演奏曲情報取得手段１０６（Ｓ１）と、その演奏曲情報取得手段１０６により取得された情報に応じて前記タッチパネルディスプレイ７０における映像の表示を制御する映像表示制御手段１０８（Ｓ２、Ｓ４、Ｓ６、及びＳ８）とを、含むことから、前記カラオケ装置１６により出力される演奏曲の雰囲気に合った映像を前記タッチパネルディスプレイ７０に表示させることで、そのタッチパネルディスプレイ７０により選曲等を行う利用者にその演奏曲と共通する印象を与えることができる。すなわち、演奏が行われている場の雰囲気を好適に盛り上げ得る電子早見本装置２２を提供することができる。
【００３９】
また、前記演奏曲情報取得手段１０６は、前記カラオケ装置１６により出力される演奏曲の属性情報を取得するものであり、前記映像表示制御手段１０８は、その演奏曲情報取得手段１０６により取得された属性情報に応じて前記タッチパネルディスプレイ７０における映像の表示を制御するものであるため、実用的な態様で前記カラオケ装置１６により出力される演奏曲の雰囲気に合った映像を前記タッチパネルディスプレイ７０に表示させることができるという利点がある。
【００４０】
また、前記演奏曲情報取得手段１０６は、前記カラオケ装置１６により出力される演奏曲の属性情報としてジャンル情報を取得するものであり、前記映像表示制御手段１０８は、その演奏曲情報取得手段１０６により取得されたジャンル情報に応じて前記タッチパネルディスプレイ７０における映像の表示を制御するものであるため、演奏曲の雰囲気と関係の深いジャンル情報に応じて前記カラオケ装置１６により出力される演奏曲の雰囲気に合った映像を前記タッチパネルディスプレイ７０に表示させることができるという利点がある。
【００４１】
また、前記映像表示制御手段１０８は、前記演奏曲情報取得手段１０６により取得された情報に応じて前記タッチパネルディスプレイ７０における背景映像の表示を制御するものであるため、前記カラオケ装置１６により出力される演奏曲の雰囲気に合った背景映像を前記タッチパネルディスプレイ７０に表示させることができるという利点がある。
【００４２】
また、前記映像表示制御手段１０８は、前記演奏曲情報取得手段１０６により取得された情報に応じて前記タッチパネルディスプレイ７０におけるメニューフレーム映像の表示を制御するものであるため、前記カラオケ装置１６により出力される演奏曲の雰囲気に合ったメニューフレーム映像を前記タッチパネルディスプレイ７０に表示させることができるという利点がある。
【００４３】
また、前記映像表示制御手段１０８は、前記演奏曲情報取得手段１０６により取得された情報に応じて前記タッチパネルディスプレイ７０に前記演奏曲に付随する情報を表示させるものであるため、そのタッチパネルディスプレイ７０により選曲等を行う利用者に前記カラオケ装置１６により出力される演奏曲を意識させることができ、場の雰囲気作りに貢献できるという利点がある。
【００４４】
また、前記映像表示制御手段１０８は、前記演奏曲情報取得手段１０６により取得された情報に応じて前記タッチパネルディスプレイ７０に前記演奏曲に関連する複数の演奏曲を選曲可能に表示させるものであるため、そのタッチパネルディスプレイ７０により選曲等を行う利用者に前記カラオケ装置１６により出力される演奏曲に関連する複数の演奏曲を意識させられることに加え、それらの演奏曲を優先的に選曲させることで、継続的に考えた場合の場の雰囲気作りに貢献できるという利点がある。
【００４５】
以上、本発明の好適な実施例を図面に基づいて詳細に説明したが、本発明はこれに限定されるものではなく、更に別の態様においても実施される。
【００４６】
例えば、前述の実施例において、前記電子早見本装置２２は、前記カラオケ装置１６との間で無線或いは有線ＬＡＮを介して情報の送受信を行うものであったが、本発明はこれに限定されるものではなく、例えば、ブルートゥース通信等、他の手段により前記カラオケ装置１６との間で情報の通信を行うものであってもよい。
【００４７】
また、前記映像表示制御手段１０８は、前記演奏曲情報取得手段１０６により取得された情報に応じて前記タッチパネルディスプレイ７０に前記演奏曲を収録したＣＤ等の商品の宣伝（ｅ‐コマース）を表示させるものであってもよい。また、利用者のタッチ操作により前記タッチパネルディスプレイ７０に表示された商品をその場で注文できるようにしても構わない。
【００４８】
その他、一々例示はしないが、本発明はその趣旨を逸脱しない範囲内において種々の変更が加えられて実施されるものである。
【図面の簡単な説明】
【００４９】
【図１】本発明が好適に適用されるカラオケシステムを説明する概略図である。
【図２】図１のカラオケシステムに備えられたカラオケ装置の構成を例示するブロック線図である。
【図３】本発明の一実施例である電子早見本装置の外観を大まかに示す斜視図である。
【図４】図３の電子早見本装置の構成を例示するブロック線図である。
【図５】図４の電子早見本装置のＣＰＵに備えられた制御機能の要部を説明する機能ブロック線図である。
【図６】図４の電子早見本装置のタッチパネルディスプレイに表示される初期設定のトップ画面を例示する図である。
【図７】図４の電子早見本装置のタッチパネルディスプレイに表示される夜景の背景画を含むトップ画面を例示する図である。
【図８】図４の電子早見本装置のタッチパネルディスプレイに表示される初期設定のかな検索選曲メニュー画面を例示する図である。
【図９】図４の電子早見本装置のタッチパネルディスプレイに表示される丸みを帯びたメニューフレーム映像を含むかな検索選曲メニュー画面を例示する図である。
【図１０】図４の電子早見本装置のタッチパネルディスプレイに表示される演奏曲に付随する情報を含むかな検索選曲メニュー画面を例示する図である。
【図１１】図４の電子早見本装置のタッチパネルディスプレイに表示される演奏曲に関連するお薦め演奏曲の選曲ボタンを含む選曲メニュー画面を例示する図である。
【図１２】図４の電子早見本装置のＣＰＵによる映像表示制御について説明するフローチャートである。
【符号の説明】
【００５０】
１６：カラオケ装置
２２：電子早見本装置
７０：タッチパネルディスプレイ
１０６：演奏曲情報取得手段
１０８：映像表示制御手段
【図１】
2006300998.tif 000003
【図２】
2006300998.tif 000004
【図３】
2006300998.tif 000005
【図４】
2006300998.tif 000006
【図５】
2006300998.tif 000007
【図６】
2006300998.tif 000008
【図７】
2006300998.tif 000009
【図８】
2006300998.tif 000010
【図９】
2006300998.tif 000011
【図１０】
2006300998.tif 000012
【図１１】
2006300998.tif 000013
【図１２】
2006300998.tif 000014